(57)【要約】【課題】ストラップを容易に取付けることができるとともに確実に取付けることができる携帯機器を低いコストで提供する。【解決手段】板状の壁が収納空間を囲む構造の筐体１２と、この筐体１２に着脱可能に取付けられた外側部材１３とを備える。前記筐体１２の隅部１４に舌片１５が形成される。前記舌片１５は、前記壁を貫通するスリット１６によって三方から囲まれるとともに、筐体１２の一端部から他端側へ向けて延在している。前記スリット１６の開口幅は、ストラップ６の取付用の紐７が挿通可能な幅に形成されている。前記外側部材１３は、前記舌片１５の先端部とスリット１６の先端部を前記筐体１２の外側から覆う形状に形成されている。【選択図】  図１
2010283711.tif 000002
【特許請求の範囲】
【請求項１】
板状の壁が収納空間を囲む構造の筐体と、
前記筐体の外面に着脱可能に取付けられた外側部材とを備え、
前記筐体の隅部には、前記壁を貫通するスリットによって三方から囲まれるとともに、前記筐体の一端部から他端側へ向けて延在する舌片が形成され、
前記スリットの開口幅は、ストラップの取付用の紐が挿通可能な幅に形成され、
前記外側部材は、前記舌片の前記先端部およびこの先端部を囲むスリットを前記筐体の外側から覆う形状に形成されている携帯機器。
【請求項２】
請求項１記載の携帯機器において、前記外側部材には、前記スリットの内部に臨む突起が設けられている携帯機器。
【請求項３】
請求項１または請求項２記載の携帯機器において、前記筐体は側壁と底壁とを有する箱状に形成され、前記スリットは、前記側壁と前記底壁との接続部分に平面視においてＵ字状に形成されている携帯機器。
【請求項４】
請求項１ないし請求項３のうちいずれか一つに記載の携帯機器において、前記外側部材はバッテリカバーである携帯機器。
【発明の詳細な説明】
【技術分野】
【０００１】
本発明は、ストラップを取付けることができる携帯機器に関するものである。
【背景技術】
【０００２】
携帯電話機や携帯情報端末などの携帯機器としては、たとえば図７、図８および特許文献１に示すように、ストラップを取付けるためにストラップ取付部が設けられているものがある。図７に示す携帯機器１のストラップ取付部２は、携帯機器１の筐体３の角部４と、筐体３の側面３ａから底面３ｂ（図７においては上方を指向する面）に延在する穴５とによって構成されている。
【０００３】
このストラップ取付部２においては、ループ状に形成されているストラップ６の取付用の紐７を前記穴５に挿通させ、ストラップ６の他端を前記ループの中に通すことにより、前記角部４に前記紐７を括り付けることができる。
図８に示すストラップ取付部２は、携帯機器１の筐体３の角部４に形成されている溝８と、この溝８内に架け渡されたピン９とによって構成されている。このストラップ取付部２においては、ループ状に形成されているストラップ６の取付用の紐７を前記溝８の中に挿通させ、ストラップ６の他端を前記ループの中に通すことにより、前記ピン９に前記紐７を括り付けることができる。
【０００４】
特許文献１に記載されているストラップ取付部は、携帯機器の筐体に形成された平面視Ｕ字状の溝と、この筐体の底面に着脱可能に取付けられたバッテリカバーとによって構成されている。前記Ｕ字状の溝は、前記筐体の側面から底面に延在するように形成されている。Ｕ字の屈曲部は、筐体の底面上に位置し、Ｕ字の開放側の端部は、筐体の側面に開口している。前記バッテリカバーは、前記Ｕ字状の溝における前記底面に開口する部分を閉塞している。
特許文献１に開示されたストラップ取付部によれば、Ｕ字状の溝にストラップのループ状の取付用の紐を嵌め込み、バッテリカバーを筐体に取付けることにより、前記紐を筐体に取付けることができる。
【先行技術文献】
【特許文献】
【０００５】
【特許文献１】特開２００８−２８９１３号公報
【発明の概要】
【発明が解決しようとする課題】
【０００６】
図７および図８に示したストラップ取付部２を有する携帯機器１は、製造コストが高くなるという問題があった。これは、図７に示すストラップ取付部２においては、筐体３の側面３ａと底面３ｂとに穴５を開口させなければならないからである。すなわち、この筐体３を成型するためには、スライド金型を使用しなければならず、金型の構成が複雑になるからである。
【０００７】
図８に示すストラップ取付部２においては、筐体３に形成されている溝８の内部にピン９を立設させなければならず、組立工数が多くなるから、製造コストが高くなる。
また、図７および図８に示すストラップ取付部３は、ストラップ６の取付用の紐７を細い穴５や狭い溝８に通す必要があり、紐７を取付ける操作が煩わしいものであった。
特許文献１に開示されたストラップ取付部は、ストラップを強く引っ張ると、ストラップの取付用の紐が筐体とバッテリカバーとの間に入り込み、外れてしまうおそれがあった。
【０００８】
本発明はこのような問題を解消するためになされたもので、ストラップを容易に取付けることができるとともに確実に取付けることができる携帯機器を低いコストで提供することを目的とする。
【課題を解決するための手段】
【０００９】
この目的を達成するために、本発明に係る携帯機器は、板状の壁が収納空間を囲む構造の筐体と、前記筐体の外面に着脱可能に取付けられた外側部材とを備え、前記筐体の隅部には、前記壁を貫通するスリットによって三方から囲まれるとともに、前記筐体の一端部から他端側へ向けて延在する舌片が形成され、前記スリットの開口幅は、ストラップの取付用紐が挿通可能な幅に形成され、前記外側部材は、前記舌片の前記先端部およびこの先端部を囲むスリットを前記筐体の外側から覆う形状に形成されているものである。
【発明の効果】
【００１０】
本発明によれば、ストラップの取付用の紐をスリットに沿わせてからスリット内を通過させて筐体内に挿入することにより、前記紐が前記舌片に巻掛けられた状態になる。前記スリットは、前記舌片をループ状の前記紐に通すときに実質的にガイドとして機能する。このため、本発明によれば、前記紐に前記舌片を挿通させる操作、言い換えればストラップの筐体への取付けを簡単に行うことが可能な携帯機器を提供することができる。
【００１１】
前記紐がスリットから筐体内に挿入された後にストラップを引くことにより、前記紐の先端部が筐体内で一端側（舌片の基部側）に移動し、舌片の内側に位置するようになる。この状態において、ストラップを引く力は、舌片の基部が受けることになる。すなわち、本発明によれば、前記紐が舌片の基部に巻掛けられるから、筐体と外側部材との境界部分にあるストラップの取付用の紐が引かれて外れることはない。このため、本発明によれば、ストラップが外れることがない携帯機器を提供することができる。
【００１２】
前記スリットは、スリット成型用の突起を有する筐体成型用の金型を使用して筐体の成型時に形成することができる。スリットを成型した前記突起は、筐体の他の部位を成型した金型と同一方向に移動させることにより成型後の筐体から外すことができる。すなわち、金型を使用してスリットを成型するに当たってスライド金型は不要である。したがって、本発明によれば、スライド金型を使用してストラップ取付部が成型された携帯機器に較べて、筐体を成型するための金型の構成が簡単でよいから、製造コストが低く抑えられて安価な携帯機器を提供することができる。
【図面の簡単な説明】
【００１３】
【図１】本発明に係る携帯機器の基本的な構成を示す斜視図で、同図はストラップを取付ける以前の状態を示す。
【図２】本発明に係る携帯機器の基本的な構成を示す斜視図で、同図はストラップ取付後の状態を示す。
【図３】本発明に係る携帯機器の斜視図である。
【図４】要部を拡大して示す斜視図である。
【図５】要部の断面図である。
【図６】バッテリカバーの裏面を示す斜視図である。
【図７】従来のストラップ取付部を示す斜視図である。
【図８】従来のストラップ取付部を示す斜視図である。
【発明を実施するための形態】
【００１４】
本発明に係る携帯機器の基本的な構成を図１および図２によって詳細に説明する。
図１に示す携帯機器１１は、筐体１２と、この筐体１２の外面に着脱自在に取付けられた外側部材１３とを備えている。この携帯機器１１は、例えば携帯電話機、携帯情報端末、携帯型ゲーム機などである。
【００１５】
前記筐体１２は、板状に形成された底壁１２ａおよび側壁１２ｂとが内部の収納空間Ｓを囲む構造のものである。この筐体１２を形成する材料はプラスチックである。この筐体１２は、図示していない金型を使用して所定の形状に成型されている。
この筐体１２の一つの隅部１４には舌片１５が形成されている。この舌片１５は、前記底壁１２ａと側壁１２ｂとを貫通する平面視コ字状のスリット１６によって三方から囲まれている。この三方とは、図１において左右方向（筐体の幅方向）および後方（図１において上側であって筐体の他端側）である。
【００１６】
前記スリット１６は、筐体１２を成型するための前記金型に突設された突起（図示せず）を使用して筐体１２の成型時に同時に成型されている。
また、前記舌片１５は、筐体１２の一端部から他端側へ（図１においては手前側から奥側へ）向けて延在するように形成されている。
前記スリット１６の開口幅は、ストラップ６の取付用の紐７が挿通可能な幅に形成されている。
【００１７】
前記ストラップ６は、手持ち用として使用者が把持するハンドストラップや、使用者が首にかけることができるネックストラップ、あるいは装飾用ストラップなど、携帯機器に取付けることが可能な紐状物であればどのようなものでも用いることができる。図１〜図４は、ストラップ６の本体部分を省略した状態で描いてある。
前記紐７は、従来からよく知られているように、ループ状に形成されている。
前記外側部材１３は、前記舌片１５の前記先端部１５ａおよびこの先端部１５ａを囲むスリット１６を前記筐体１２の外側から覆う形状に形成されている。
【００１８】
この実施例による携帯機器１１において、ストラップ６の取付けは、図１に示すように、筐体１２から外側部材１３を取外した状態で行う。ストラップ６を取付けるに当たっては、先ず、ストラップ６の取付用の紐７をスリット１６に沿わせて嵌め込み、スリット１６を通して筐体１２内に挿入する。その後、図２に示すように、筐体１２に外側部材１３を取付けることによって、ストラップ６の取付けが完了する。
【００１９】
この実施例によれば、前記ストラップ６の取付用の紐７をスリット１６に沿わせてからスリット１６内を通過させて筐体１２内に挿入することにより、前記紐７が前記舌片１５に巻掛けられた状態になる。前記スリット１６は、前記舌片１５をループ状の紐７に通すときに実質的にガイドとして機能する。このため、この実施例によれば、前記紐７に前記舌片１５を挿通させて筐体１２にストラップ６を取付ける操作を簡単に行うことができる。
【００２０】
前記紐７がスリット１６から筐体１２内に挿入された後にストラップ６を引くことにより、前記紐７の先端部が筐体１２内で一端側（舌片１５の基部側）に移動し、舌片１５の内側に位置するようになる。この状態において、ストラップ６を引く力は、舌片１５の基部１５ｂが受けることになる。すなわち、この実施例によれば、筐体１２と外側部材１３との境界部分にストラップ６の取付用の紐７が位置付けられている状態でストラップ６が引かれるようなことはない。
【００２１】
前記境界部分に前記紐７が位置している状態でストラップ６が強く引かれると、筐体１２と外側部材１３との間に形成されている隙間に前記紐７が引き込まれ、筐体１２から外れてしまうおそれがある。これに対して、この実施例によれば、ストラップ６を前記舌片１５の基部１５ｂに巻掛けることができるから、ストラップ６が外れることがない携帯機器を提供することができる。なお、前記境界部分に形成される隙間が可及的狭くなるように筐体１２と外側部材１３とを形成することにより、前記紐７が前記隙間を通過するようなことは防ぐことができる。
【００２２】
しかし、この構成を採ると、筐体１２と外側部材１３とをそれぞれ高い精度で形成しなければならないから、製造コストが高くなってしまう。この実施例によれば、紐７が舌片１５の基部１５ｂに巻掛けられているから、筐体１２および外側部材１３の精度をそれほど高くすることなく、紐７の脱落防止を図ることができる。
【００２３】
前記スリット１６は、スリット成型用の突起を有する筐体成型用の金型を使用して筐体１２の成型時に形成することができる。スリット１６を成型した前記突起は、筐体１２の他の部位を成型した金型と同一方向に移動させることにより成型後の筐体１２から外すことができる。すなわち、金型を使用してスリット１６を成型するに当たってスライド金型は不要である。したがって、この実施例によれば、スライド金型を使用してストラップ取付部が成型された携帯機器に較べて、筐体成型用金型の構成が簡単でよいから、製造コストが低く抑えられて安価な携帯機器を提供することができる。
【００２４】
次に本発明に係る携帯機器の具体的な実施例を図３〜図６によって詳細に説明する。これらの図において、前記図１および図２によって説明したものと同一もしくは同等の部材については、同一符号を付し詳細な説明を適宜省略する。この実施例においては、本発明を携帯電話機に適用する場合の例について説明する。
【００２５】
図３に示す携帯電話機２１は、いわゆる開閉式のもので、下側ケース２２と上側ケース２３とを備えている。図３においては、便宜上、下側ケース２２が上に位置する状態で描いてある。上側ケース２３は、下側ケース２２に開閉自在に支持されている。
【００２６】
前記下側ケース２２は、板状の壁が収納空間Ｓを囲む構造で、バッテリー２４（図４参照）および図示していない電話機本体とを備えている。この実施例においては、前記下側ケース２２によって本発明でいう筐体が構成されている。下側ケース２２における前記バッテリー２４と対応する底部には、バッテリー２４を覆い隠すためのバッテリカバー２５が着脱可能に取付けられている。
【００２７】
この実施例においては、バッテリカバー２５によって本発明でいう外側部材が構成されている。バッテリカバー２５は、図１に示すように、下側ケース２２の一端部（図３においては手前側の端部）から他端側に至る広い範囲を覆う形状に形成されている。バッテリカバー２５の支持部は、例えば図３に示す取付位置から同図の手前側へ所定寸法だけバッテリカバー２５を平行移動させた位置において、バッテリカバー２５を下側ケース２２から図３の上方へ取外すことができる構成が採られている。なお、このバッテリカバー２５の支持構造、すなわちバッテリカバー２５を下側ケース２２に対して着脱させるための構造は、上記の構成に限定されることはなく、適宜変更することができる。
【００２８】
前記下側ケース２２の隅部１４（図４参照）には、ストラップ６を取付けるための舌片１５が形成されている。この実施例における前記隅部１４とは、平面視において略長方形状を呈する下側ケース２２の長手方向の一端部であって、携帯電話機２１を使用するときに操作者に近接する一方の端部である。
前記舌片１５は、図４に示すように、下側ケース２２にスリット１６を形成することにより形成されている。
【００２９】
スリット１６は、下側ケース２２の底壁２２ａと側壁２２ｂとをそれぞれ厚み方向に貫通するように形成されている。スリット１６の開口幅は、ストラップ６の取付用の紐７を通すことが可能な幅に形成されている。
この実施例によるスリット１６は、図４に示すように、平面視においてＵ字状に形成されている。このスリット１６は、前記側壁２２ｂから下側ケース２２の他端側（図４においては右側）に延在する二つの直線部１６ａ，１６ｂと、これらの直線部１６ａ，１６ｂの先端どうしを接続する屈曲部１６ｃとから構成されている。この屈曲部１６ｃは、平面視において、前記側壁２２ｂから下側ケース２２の他端側に向けて凸になる半円状に形成されている。
【００３０】
このようにスリット１６を下側ケース２２に形成することにより、下側ケース２２の隅部１４に、前記スリット１６によって三方から囲まれるとともに、下側ケース２２の一端部から他端側へ向けて延在する舌片１５が形成される。前記三方とは、図４において、左斜め上方、右斜め下方および右斜め上方である。
【００３１】
舌片１５の裏側（下側ケース２２内の部位）には、図５に示すように、補強用のリブ３１が立設されている。このリブ３１は、舌片１５と、この舌片１５に隣接している底壁２２ａの他の部分とを接続している。また、このリブ３１は、舌片１５の長手方向の略中央部に位置付けられている。このため、ストラップ６の取付用の紐７をスリット１６から下側ケース２２内に挿入した後、ストラップ６を引くと、図５中に二点鎖線で示すように、紐７の先端部が舌片１５の裏側へ移動し、前記リブ３１に掛かるようになる。
【００３２】
前記舌片１５における前記底壁２２ａによって形成される先端部１５ａと、この先端部１５ａを囲むスリット１６の先端部とは、下側ケース２２にバッテリカバー２５を取付けた状態においては、図１に示すように、バッテリカバー２５によって覆われる。この取付状態においては、下側ケース２２内に挿入されているストラップ６の取付用の紐７をスリット１６から引き出すことはできない。
【００３３】
バッテリカバー２５における前記スリット１６と対向する裏面には、図６に示すように、二つの突起３２，３２が形成されている。これらの突起３２，３２は、スリット１６の前記直線部１６ａ，１６ｂ内に挿入できる形状、寸法に形成されている。
【００３４】
このように構成された携帯電話機２１においては、ストラップ６の取付用の紐７を前記舌片１５に掛けるときにスリット１６が実質的にガイドとして機能する。したがって、この実施例によれば、ストラップ６を簡単に取付けることが可能な携帯電話機を提供することができる。
【００３５】
この実施例による携帯電話機２１においては、前記スリット１６を通して前記紐７を下側ケース２２内に挿入した状態でストラップ６を引くことにより、ループ状の前記紐７が舌片１５の裏側に移動し、舌片１５の基部１５ｂに巻掛けられる。この状態においては、ストラップ６を引く力は、舌片１５の補強用リブ３１を含む基部１５ｂが受けることになる。このため、この実施例によれば、ストラップ６が下側ケース２２とバッテリカバー２５との境界部分に位置している状態で引かれることがないから、ストラップ６を確実に取付けておくことが可能な携帯電話機を提供することができる。
【００３６】
この実施例によるバッテリカバー２５は、下側ケース２２に対してスライドさせてから取外すものである。このため、ストラップ６とバッテリカバー２５とが下側ケース２２に取付けられた状態でストラップ６がバッテリカバー２５側へ（図４においては上方へ）強く引かれたとしても、バッテリカバー２５が下側ケース２２から外れてしまうことはない。
【００３７】
前記スリット１６は、下側ケース２２を成型するための金型（図示せず）を使用して形成することができる。この金型の離型方向は、図４において上下方向である。すなわち、スリット１６は、スライド金型を使用することなく、下側ケース２２の底壁２２ａや側壁２２ｂを成型するための金型を使用して成型することができる。このため、この実施例による携帯電話機２１は、構造が単純な金型を使用して下側ケース２２および舌片１５を成型することができるから、スライド金型を使用して形成された筐体を有する携帯電話機に較べて製造コストを低く抑えることができ、安価に提供することができる。
【００３８】
この実施例によるバッテリカバー２５には、前記スリット１６内に臨む突起３２，３２が設けられている。これらの突起３２は、ストラップ６の取付用の紐７の先端部が下側ケース２２内からスリット１６に入ることを規制する。このため、この実施例によれば、前記紐７の先端部が下側ケース２２内で遊動したとしても、下側ケース２２とバッテリカバー２５との境界部分に入るようなことがないから、ストラップ６が下側ケース２２から外れることを確実に防ぐことができる。
【００３９】
この実施例による下側ケース２２は、底壁２２ａと側壁２２ｂとを有する箱状に形成され、前記スリット１６は、前記底壁２２ａと前記側壁２２ｂとの接続部分に平面視においてＵ字状に形成されている。このため、ループ状に形成されているストラップ６の取付用の紐７を大きく変形させることなくスリット１６内に挿入することができるから、ストラップ６の取付をより一層容易に行うことができる。
【００４０】
この実施例においては、舌片１５とスリット１６とを覆う部材としてバッテリカバー２５が用いられている。このため、専ら舌片１５とスリット１６とを覆うための部材を使用する場合に較べて、部品数が低減され、より一層のコストダウンを図ることができる。
上述した実施例においては、スリット１６を平面視においてコ字状やＵ字状に形成する例を示したが、スリット１６の形状（舌片１５の形状）は適宜変更することができる。例えば、スリット１６は、舌片１５が棒状に形成されるように形成することもできる。
【００４１】
また、舌片１５を形成する位置は、上述した実施例に示す位置に限定されることはなく、バッテリカバー２５で覆うことが可能な部位であれば適宜変更することができる。なお、舌片１５とスリット１６とを覆う部材は、バッテリカバー２５に限定されることはなく、下側ケース２２や上側ケース２３に着脱可能に取付けられた部品がある場合は、この部品によって覆われる位置に設けることができる。
上述した実施例においては、１本のストラップ６を筐体１２に取付ける例を示したが、複数のストラップ６を筐体１２に取付けることもできる。この場合は、スリット１６の開口幅を広く形成したり、側壁２２ｂにスリット１６を深く形成することが望ましい。
【符号の説明】
【００４２】
６…ストラップ、７…取付用の紐、１１…携帯機器、１２…筐体、１３…外側部材、１５…舌片、１６…スリット、２２…下側ケース、２２ｂ…側壁、２２ａ…底壁、２５…バッテリカバー、３２…突起。
【図１】
2010283711.tif 000003
【図２】
2010283711.tif 000004
【図３】
2010283711.tif 000005
【図４】
2010283711.tif 000006
【図５】
2010283711.tif 000007
【図６】
2010283711.tif 000008
【図７】
2010283711.tif 000009
【図８】
2010283711.tif 000010